(57)【要約】【課題】撮像素子が存在する空間を完全に密閉しない構造であっても、撮像素子への異物の付着を抑制するカメラモジュールを提供する。【解決手段】カメラ基板４３は、撮像素子４５を備える。ベース部４２ｂは、撮像素子４５を覆うようにカメラ基板４３に固定される筐体であって、カメラ基板４３と対向する対向面４２ｅを貫通する貫通孔４２ｇを備える。鏡筒部４２ａは、筒状で、内部にレンズ４１を保持して、対向面４２ｅの外壁面側において貫通孔４２ｇに連続して設置される。光学フィルタ４４は、対向面４２ｅの内壁面に形成された固定用溝に４２ｈに固定される。鏡筒部４２ａは、鏡筒部４２ａの先端から貫通孔４２ｇまで、レンズ４１の光軸の方向に筒状の壁を連通する空気孔４２ｎを備える。対向面４２ｅは、ベース内空間４２ｍと貫通孔４２ｇとを連通する空気溝４２ｌを備える。空気溝４２ｌは、光軸に平行な断面において折れ曲がった形状を有する。【選択図】図３
2017156627.tif 000002
【特許請求の範囲】
【請求項１】
カメラモジュールであって、
撮像素子（４５）を備えるカメラ基板（４３）と、
前記撮像素子を覆うように前記カメラ基板に固定される筐体であって、前記カメラ基板と対向する対向面（４２ｅ）を貫通する貫通孔（４２ｇ）を備えるベース部（４２ｂ）と、
内部にレンズ（４１）を保持して、前記対向面の外壁面側において前記貫通孔に連続して設置される筒状の鏡筒部（４２ａ）と、
前記対向面の内壁面に形成された固定用部位（４２ｈ）に固定される光学フィルタ（４４）と、を備え、
前記鏡筒部は、前記鏡筒部の先端から前記貫通孔まで、前記レンズの光軸の方向に筒状の壁を連通する空気孔（４２ｎ）を備え、
前記対向面は、前記ベース部及び前記カメラ基板で囲まれた空間であるベース内空間（４２ｍ）と前記貫通孔とを連通する空気溝（４２ｌ）を備え、
前記空気溝は、前記光軸に平行な断面において折れ曲がった形状を有する、カメラモジュール。
【請求項２】
請求項1に記載のカメラモジュールであって、
前記空気溝は、
前記貫通孔の内壁面から前記光軸に垂直な方向に、前記固定用部位を超えて伸びる第１溝（４２１ｌ）と、
前記第１溝の前記貫通孔と反対側の端部から、前記ベース内空間へ向かって前記光軸の方向に伸びる第２溝（４２２ｌ）と、を備える、カメラモジュール。
【請求項３】
請求項1又は２に記載のカメラモジュールであって、
前記レンズは、前記光軸の方向に並べられた異なるサイズの複数のレンズであり、
前記鏡筒部は、各前記レンズの周囲を部分的に囲む囲み部（４２ｊ）と、各前記レンズの周囲のうち前記囲み部で囲まれていない部分と前記筒状の壁との間の隙間（４２ｋ）と、を備え、
前記空気孔は、前記光軸の方向に繋がった前記隙間から形成される、カメラモジュール。
【請求項４】
請求項１〜３のいずれか１項に記載のカメラモジュールであって、
前記鏡筒部は、樹脂で成形されており、
前記レンズは、前記筒状の壁と一体の樹脂で形成された固定部（４２ｉ）により前記筒状の壁の内部に固定されている、カメラモジュール。
【請求項５】
請求項1〜４のいずれか１項に記載のカメラモジュールであって、
前記鏡筒部と前記ベース部とは樹脂で一体成形されている、カメラモジュール。
【請求項６】
請求項１〜５のいずれか１項に記載のカメラモジュールであって、
前記光学フィルタは、接着剤で前記固定用部位に固定され、
前記接着剤は、前記空気溝を塞がないように、前記ベース部と前記光学フィルタとの間に０．０１ｍｍ〜１ｍｍの厚みを有して配置される、カメラモジュール。
【発明の詳細な説明】
【技術分野】
【０００１】
本発明は、カメラモジュールに関する。
【背景技術】
【０００２】
特許文献1に記載の車載カメラは、鏡筒とケースとを備えている。鏡筒は、レンズとレンズを保持する略筒状の鏡筒とを有している。一方、ケースは、鏡筒を保持する略筒状の鏡筒保持部と、撮像素子を内部に収納した略筐状のケース本体部とを有している。そして、鏡筒の端部が鏡筒保持部に嵌め込まれ、止めネジで固定されている。
【先行技術文献】
【特許文献】
【０００３】
【特許文献１】特開２００７−２２５９９１号公報
【発明の概要】
【発明が解決しようとする課題】
【０００４】
上記車載カメラに対して、撮像画像の品質向上のための光学フィルタを適用する場合、一般に、光学フィルタは、撮像素子が収納されたケース本体部の鏡筒側の内壁、すなわち撮像素子と対向するケース本体部の内壁に接着剤で固定される。
【０００５】
ここで、撮像素子に異物が付着すると撮像画像の品質が低下するため、撮像素子に異物が付着しないように、撮像素子が存在する空間を密閉することが望ましい。しかしながら、撮像素子が存在する空間を密閉すると、接着剤の硬化熱処理時に内圧が上昇して接着剤が切れ、光学フィルタのズレが発生することがある。
【０００６】
本発明は、上記実情に鑑みてなされたものであり、撮像素子が存在する空間を完全に密閉しない構造であっても、撮像素子への異物の付着を抑制するカメラモジュールを提供することを主たる目的とする。
【課題を解決するための手段】
【０００７】
本発明は、カメラモジュールであって、カメラ基板（４３）と、ベース部（４２ｂ）と、鏡筒部（４２ａ）と、光学フィルタ（４４）と、を備える。カメラ基板は、撮像素子（４５）を備える。ベース部は、撮像素子を覆うようにカメラ基板に固定される筐体であって、カメラ基板と対向する対向面（４２ｅ）を貫通する貫通孔（４２ｇ）を備える。鏡筒部は、筒状で、内部にレンズ（４１）を保持して、対向面の外壁面側において貫通孔を塞ぐ位置に設置される。光学フィルタは、対向面の内壁面に形成された部位であって、貫通孔の内壁面と連結して貫通孔を囲む固定用部位（４２ｈ）に固定される。鏡筒部は、鏡筒部の先端から貫通孔まで、レンズの光軸の方向に筒状の壁を連通する空気孔（４２ｎ）を備える。対向面は、ベース部及びカメラ基板で囲まれた空間であるベース内空間（４２ｍ）と貫通孔とを連通する空気溝（４２ｌ）を備える。空気溝は、レンズの光軸に平行な断面において折れ曲がった形状を有する。
【０００８】
本発明によれば、鏡筒部の筒状の壁を光軸の方向に先端から貫通孔まで連通する空気孔と、貫通孔と、ベース部の対向面を貫通孔から撮像素子が存在するベース内空間まで連通する空気溝とを通って、ベース内空間と外部とで空気が出入りする。そして、空気溝が、レンズの光軸に平行な断面において折れ曲がった形状を有するため、貫通孔から空気溝へ異物が流入した場合でも、異物は空気溝に留まりやすく、撮像素子が存在する空間へ流出しにくい。よって、撮像素子が存在する空間を完全に密閉しない構造であっても、撮像素
子への異物の付着を抑制することができる。
【０００９】
なお、この欄及び特許請求の範囲に記載した括弧内の符号は、一つの態様として後述する実施形態に記載の具体的手段との対応関係を示すものであって、本発明の技術的範囲を限定するものではない。
【図面の簡単な説明】
【００１０】
【図１】カメラモジュールを収納したカメラ装置の外観の斜視図である。
【図２】カメラモジュールの外観の斜視図である。
【図３】図１におけるＩＩＩ−ＩＩＩ断面図である。
【図４】図３におけるＩＶ−ＩＶ断面図である。
【図５】図３におけるＶ−Ｖ断面図である。
【図６】図５におけるＶＩ−ＶＩ断面図である。
【図７】図５におけるＶＩＩ−ＶＩＩ断面図である。
【図８】カメラモジュールの分解斜視図である。
【発明を実施するための形態】
【００１１】
以下、図面を参照しながら、発明を実施するための形態を説明する。
本実施形態では、図１に示すように、カメラモジュール４は、車両に搭載するカメラ装置１に適用することを想定している。まず、カメラ装置１の概要について説明する。カメラ装置１は、車両のフロントガラスに固定されたブラケットに、車室内側から取り付けられる車載カメラである。以下では、カメラ装置１の各部材前後左右上下方向を、カメラ装置１がフロントガラスに取り付けられた状態における、その部材の前後左右上下方向として定義する。つまり、この定義では、各部材の前方向は車両の前方に一致する。また、各図におけるＦＲ，ＵＰＲ，ＲＨ方向は、それぞれ前方向、上方向、右方向を表すものとする。
【００１２】
カメラ装置１は、カメラケース３に、カメラモジュール４とフード５とが固定されて構成されている。カメラケース３は、金属又は樹脂製の箱状の部材であり、前方側になるほど厚みが小さくなるような形状を有する。カメラケース３の左右の外側側面には、それぞれ２つずつ掛止部３ｋが設けられている。４つの掛止部３ｋがブラケットの鈎状部に掛止することで、カメラケース３はフロントガラスに固定される。
【００１３】
カメラモジュール４は、後述するレンズ４１を備え、レンズ４１の光軸方向がカメラケース３の前後方向と一致するように、カメラケース３の内部に固定される。カメラケース３には、前面から上面に掛けて露出孔３ｅが形成されており、カメラモジュール４のレンズ４１は露出孔３ｅから露出する。
【００１４】
フード５は、カメラケース３において、露出孔３ｅよりも前方かつ下方に形成された窪み３ｈに嵌め込まれ、露出孔３ｅから露出したレンズ４１を下方から覆う。このようにフード５が配置されることで、レンズ４１の下方から入射する光が遮断され、カメラモジュール４の画角範囲外の景色が、レンズ４１へ映り込むことが抑制される。
【００１５】
［１．構成］
次に、カメラモジュール４の詳しい構成について説明する。図２及び図３に示すように、カメラモジュール４は、光学ユニット４２とカメラ基板４３とを備える単眼のカメラモジュールである。
【００１６】
光学ユニット４２は、鏡筒部４２ａとベース部４２ｂとを備える。鏡筒部４２ａ及びベース部４２ｂは、樹脂で一体成形されている。樹脂としては、熱可塑性樹脂、例えば、Ｐ
ＰＳ樹脂が用いられる。鏡筒部４２ａとベース部４２ｂとを別部品とした場合、鏡筒部４２ａとベース部４２ｂとを組み立てる必要があるが、２つの部品を組み立てると部品同士が擦れて異物が発生するおそれがある。これに対して、鏡筒部４２ａとベース部４２ｂとを樹脂で一体成形することで、異物の発生が抑制される。
【００１７】
鏡筒部４２ａは、筒状の形状を有し、内部にレンズ４１を保持する。レンズ４１は、複数の異なるサイズのレンズから構成されており、各レンズ４１は、光軸が鏡筒部４２ａの中心軸と一致するように、光軸方向に並べられている。ここでのレンズ４１のサイズとは、レンズ４１の径を意味する。
【００１８】
本実施形態では、図３に示すように、後方に向かうほど、サイズの小さいレンズ４１が配置されており、鏡筒部４２ａの内径は小さくなっている。鏡筒部４２ａをこのような形状に形成することにより、鏡筒部４２ａの内壁面を形成する金型を鏡筒部４２ａの前方から抜くことができるので、鏡筒部４２ａとベース部４２ｂとを一体成形しやすい。以下において光軸と述べた場合、レンズ４１の光軸を表す。
【００１９】
ベース部４２ｂは、光軸と垂直な方向に広がり、後方が開放した直方体状の形状を有する。詳しくは、ベース部４２ｂは、カメラケース３にカメラモジュール４を固定する際の位置決めの基準となる板状の基準面４２ｅと、基準面４２ｅから起立した上下左右の板状の側面を４つ備える。上下左右の側面の前後方向における長さは全て同じ長さとなっている。更に、ベース部４２ｂは、カメラモジュール４をカメラケース３に固定するための取付部４２ｃを備える。取付部４２ｃは、基準面４２ｅから左方向及び右方向に伸びた板状の部位であり、取付部４２ｃと基準面４２ｅの前方側の表面は、面一な形状となっている。取付部４２ｃには、螺子孔４２ｄが形成されている。カメラモジュール４は、カメラケース３の左側内壁及び右側内壁に、取付部４２ｃが螺子で螺子止めされることで、カメラケース３に固定される。
【００２０】
基準面４２ｅは、基準面４２ｅの中央部に、基準面４２ｅを貫通する貫通孔４２ｇを備える。貫通孔４２ｇは、鏡筒部４２ａの外径よりも径が小さく形成されているとともに、鏡筒部４２ａの後端側の内径よりも径が大きく形成されている。鏡筒部４２ａは、基準面４２ｅの外壁面側において、貫通孔４２ｇと連続して貫通孔４２ｇを塞ぐ位置に設置される。よって、鏡筒部４２ａの内部と貫通孔４２ｇとは連通している。そして、ベース部４２ｂの後方の開放端部には、後述するカメラ基板４３が組み付けられ、ベース部４２ｂとカメラ基板４３とで囲まれたベース内空間４２ｍが形成される。
【００２１】
鏡筒部４２ａの筒状の壁は、各レンズ４１の周囲を部分的に囲むように形成されている。詳しくは、図４に示すように、鏡筒部４２ａは、各レンズ４１の周囲を部分的に囲む囲み部４２ｊと、各レンズ４１の周囲のうち囲み部４２ｊで囲まれていない部分と筒状の壁との間の隙間４２ｋと、を備える。光軸に垂直な断面において、囲み部４２ｊは、筒状の壁が厚くレンズ４１に当接している部分であり、隙間４２ｋは、筒状の壁が薄い部分の内壁面とレンズ４１の周囲との間隔である。各レンズ４１の周囲に形成される隙間４２ｋは、鏡筒部４２ａの径方向における長さが同程度に形成されている。
【００２２】
各レンズ４１の周囲に形成された隙間４２ｋが、光軸方向に鏡筒部４２ａの先端から貫通孔４２ｇまで繋がり、空気孔４２ｎが形成される。空気孔４２ｎは、光軸方向に鏡筒部４２ａの先端から貫通孔４２ｇまでを連通し、鏡筒部４２ａの先端から貫通孔４２ｇまで空気を通す孔である。上述したように、各レンズ４１のサイズは異なるため、各レンズ４１の周囲に形成される隙間４２ｋは、光軸に垂直な断面において、光軸からの距離が異なる。よって、各レンズ４１の周囲に形成される隙間４２ｋは、光軸方向に隣接するレンズ４１の周囲の隙間４２ｋと繋がっているが、鏡筒部４２ａの径方向における位置がずれて
いる。そのため、空気孔４２ｎは、光軸に平行な断面において、複数回屈折した形状となっている。すなわち、空気孔４２ｎは、内部に流入した異物が流出しにくい、迷路形状となっている。
【００２３】
なお、各レンズ４１の周囲に形成される隙間４２ｋは、光軸方向に隣接するレンズ４１の周囲の隙間４２ｋと繋がっていれば、鏡筒部４２ａの周方向における位置がずれていてもよい。周方向における隙間４２ｋの位置もずらすと、空気孔４２ｎを更に複雑な形状にして、空気孔４２ｎ内に異物を留めることができる。また、例えば、各レンズ４１のサイズを等しくして、各レンズ４１の周囲に形成される隙間４２ｋの位置を、周方向にのみずらしてもよい。
【００２４】
各レンズ４１は、囲み部４２ｊに周囲を囲まれて、鏡筒部４２ａ内で位置決めされる。鏡筒部４２ａは、内部にレンズ４１が順次収納されて位置決めされた後、最もベース部４２ｂ側のレンズ４１の後方部分における内壁が加熱され、内壁の形状が変形されて固定部４２ｉが形成される。レンズ４１は、鏡筒部４２ａの筒状の壁と一体の樹脂で形成された固定部４２ｉにより、筒状の壁の内部に固定される。すなわち、レンズ４１は、鏡筒部４２ａに収納された後、鏡筒部４２ａのベース部４２ｂ側の内壁を熱かしめすることにより、鏡筒部４２ａの内部に固定される。
【００２５】
基準面４２ｅの内壁面４２ｆは、光学フィルタ４４を固定するための固定用溝４２ｈを備える。固定用溝４２ｈは、貫通孔４２ｇの内壁面と連結して、貫通孔４２ｇを囲むように形成されている。固定用溝４２ｈは、光学フィルタ４４が矩形状であれば、光軸に垂直な断面の輪郭が矩形状となるように形成されている。なお、基準面４２ｅが対向面に相当し、固定用溝４２ｈが固定用部位に相当する。
【００２６】
光学フィルタ４４は、所定の波長の光をカットするものである。光学フィルタ４４としては、例えば、赤外線をカットする赤外線カットフィルタが挙げられる。赤外線カットフィルタを、レンズ４１と後述する撮像素子４５との間に設置することで、屋外などの赤外線の多い環境で撮影した場合に、電荷が飽和して画像が真っ白になることが抑制される。光学フィルタ４４は、光学フィルタ４４の外周に沿った所定幅の糊しろ４４ａに接着剤がつけられ、基準面４２ｅの固定用溝４２ｈに固定される。この際、接着剤は、空気溝４２ｌを塞がないように、ベース部４２ｂの固定用溝４２ｈ又は光学フィルタ４４の糊しろ４４ａに、厚みを有した状態で塗布され、ベース部４２ｂと光学フィルタ４４に挟まれて潰される。接着剤の塗布位置は、例えば、隣り合う空気溝４２ｌ同士の間に対応した固定用溝４２ｈ又は糊しろ４４ａの位置とする。また、接着剤の厚みは、少なくとも硬化剤と分離しない厚さとする。例えば、接着剤の厚みは、０．０１ｍｍ〜１ｍｍの範囲とする。
【００２７】
基準面４２ｅは、更に、ベース内空間４２ｍと貫通孔４２ｇとを連通する空気溝４２ｌを備える。図５に示すように、光軸に垂直な断面において、空気溝４２ｌは、固定用溝４２ｈに固定した光学フィルタ４４の外周よりも、ベース部４２ｂの側面に向かって伸びている。すなわち、空気溝４２ｌは、光学フィルタ４４によって塞がれていない。
【００２８】
図６は、空気溝４２ｌが形成されている箇所における光軸に平行な断面図であり、図７は、空気溝４２ｌが形成されていない箇所における光軸に平行な断面図である。図６に示すように、空気溝４２ｌは、光学フィルタ４４に対して鏡筒部４２ａ側及び基準面４２ｅ側に、光学フィルタ４４に沿って形成されている。すなわち、空気溝４２ｌは、固定用溝４２ｈの外側に固定用溝４２ｈと連結して形成されている。よって、光学フィルタ４４に遮られることなく、貫通孔４２ｇからベース内空間４２ｍへ空気が流れる。一方、図7に示すように、空気溝４２ｌが形成されていない箇所では、光学フィルタ４４は基準面４２ｅに当接しており、貫通孔４２ｇからベース内空間４２ｍへ空気は流れない。
【００２９】
そして、図３において破線の矢印で示すように、鏡筒部４２ａに形成された空気孔４２ｎと、貫通孔４２ｇと、基準面４２ｅに形成された空気溝４２ｌとから、鏡筒部４２ａの先端からベース内空間４２ｍまで空気が通るエアパスＡＰが形成される。これにより、ベース内空間４２ｍは完全な密閉状態とはならない。
【００３０】
図６に示すように、空気溝４２ｌは、貫通孔４２ｇの内壁面から光軸に垂直な方向に、固定用溝４２ｈを超えて伸びる第１溝４２１ｌと、第１溝の貫通孔４２ｇと反対側の端部から、ベース内空間４２ｍへ向かって光軸方向に伸びる第２溝４２２ｌと、を備える。つまり、空気溝４２ｌは、光軸に平行な断面において折れ曲がった形状を有する。そのため、異物が貫通孔４２ｇから空気溝４２ｌへ流入しても、異物は、空気溝４２ｌ内に留まりやすく、ベース内空間４２ｍへ流出しにくい。空気孔４２ｎと空気溝４２ｌとを組み合わせることで、鏡筒部４２ａの先端からベース内空間４２ｍまで、迷路構造のエアパスＡＰが形成される。
【００３１】
鏡筒部４２ａ及びベース部４２ｂは、レンズ４１の光軸に対照な形状を有する。ここで、鏡筒部４２ａ及びベース部４２ｂを樹脂で一体成形しようとすると、部品の精度を出しにくいという問題がある。本実施形態では、鏡筒部４２ａ及びベース部４２ｂを単純な形状とすることにより、樹脂による一体成形に伴う部品の精度の低下を抑制している。
【００３２】
カメラ基板４３は、撮像素子４５及びコネクタ４６が搭載された板状部材である。本実施形態では、コネクタ４６は、撮像素子４５と板状部材の同じ側に搭載されているが、板状部材の反対側に搭載されていてもよい。カメラ基板４３は、撮像素子４５が搭載された面を前方に向けて、ベース部４２ｂの後方の開放端部に組み付けられる。すなわち、カメラ基板４３は、撮像素子４５が、基準面４２ｅの内壁面に設置された光学フィルタ４４と対向するように、ベース部４２ｂの後方端部に組み付けられる。
【００３３】
カメラ基板４３とベース部４２ｂとは、互いに組み合わさった状態において、ぴったりと嵌り合って互いの動きが規制される形状ではなく、相対位置の調整が可能な形状になっている。後述するように、カメラ基板４３とベース部４２ｂとは、相対位置が調整された状態で接着剤を用いて固定される。
【００３４】
撮像素子４５は、ＣＣＤイメージセンサやＣＭＯＳイメージセンサ等の半導体イメージセンサ素子である。撮像素子４５は、矩形板状であり、表面が単一平面をなす受光面で構成されており、レンズ４１により受光面に結像された被写体像を撮像して画像信号を出力する。このとき、レンズ４１の光軸に対して撮像素子４５の受光面が傾くと、片ボケ等が生じて画像の品質が低下してしまう。よって、レンズ４１の光軸に対する撮像素子４５の受光面が正確に直交するように、光学ユニット４２とカメラ基板４３の位置決めを行う必要がある。なお、光学ユニット４２とカメラ基板４３の相対位置の調整については後述する。
【００３５】
また、カメラケース３において、カメラモジュール４の下方には、信号処理基板や接続配線が配置される。信号処理基板は、カメラモジュール４により取得される画像信号の処理を行う板状の部品である。信号処理基板にはコネクタが設けられており、信号処理基板のコネクタとカメラ基板４３のコネクタ４６とは、接続配線で電気的に接続される。なお、ここでは、被写体像を撮像して画像信号を生成する部品をカメラモジュール４とする。
【００３６】
次に、光学ユニット４２とカメラ基板４３との相対位置の調整、及び光学ユニット４２とカメラ基板４３との固定について、図８を参照して説明する。上述したように、光学ユニット４２とカメラ基板４３とは、互いに組み合わされた状態において、相対位置の調整
が可能である。この自由度を利用して、６軸調整により、光学ユニット４２に対するカメラ基板４３の相対位置を調整する。すなわち、カメラ基板４３が、光学ユニット４２に対して、レンズ４１の光軸が撮像素子４５の受光面の中心を通り、かつ光軸が撮像素子４５の受光面に直交する位置に固定される。ここでの６軸調整は、ｘ軸、ｙ軸及びｚ軸の並進方向、並びにそれぞれの軸回りの回転方向における調整を意味する。本実施形態では、光学ユニット４２とカメラ基板４３の相対位置の調整は、接着剤の形状、例えば接着剤の厚みや広がり等を調整することにより行われる。
【００３７】
［２．効果］
以上詳述した第１実施形態によれば、以下の効果が得られる。
（１）光軸に平行な断面において、空気溝４２ｌが折れ曲がった形状を有するため、貫通孔４２ｇから空気溝４２ｌへ異物が流入した場合でも、異物は空気溝４２ｌに留まりやすく、撮像素子４５が存在するベース内空間４２ｍへ流出しにくい。よって、ベース内空間４２ｍを完全に密閉しない構造であっても、撮像素子４５への異物の付着を抑制することができる。
【００３８】
（２）空気溝４２ｌの第１溝４２１ｌが、光軸に垂直な方向に固定用溝４２ｈを超えて伸びている。よって、ベース内空間４２ｍは光学フィルタ４４で完全に密閉されず、空気孔４２ｎ、貫通孔４２ｇ及び空気溝４２ｌを通って、ベース内空間４２ｍと外部とで空気が出入りできる。
【００３９】
（３）異なるサイズのレンズ４１の周囲に形成される隙間４２ｋは、鏡筒部４２ａの径方向における位置がずれるため、光軸方向に繋がった隙間４２ｋから形成される空気孔４２ｎは迷路構造となる。そのため、空気孔４２ｎに異物が流入しても、異物は空気孔４２ｎに留まりやすい。したがって、撮像素子４５への異物の付着を抑制することができる。
【００４０】
（４）レンズ４１を、鏡筒部４２ａの筒状の内壁に熱かしめで固定するため、螺子止めする場合と比べて、異物の発生を抑制することができる。ひいては、撮像素子４５への異物の付着を抑制することができる。
【００４１】
（５）鏡筒部４２ａとベース部４２ｂとを一体の部品として成形するため、別部品として成形する場合と比べて、異物の発生を抑制することができる。ひいては、撮像素子４５への異物の付着を抑制することができる。
【００４２】
（６）光学フィルタ４４を固定する接着剤を、空気孔４２ｌを塞がないように、ベース部４２ｂと光学フィルタ４４との間に厚みを有して塗布したことにより、空気溝４２ｌを接着剤で防ぐことなく硬化剤の分離を抑制して、光学フィルタ４４を固定用溝４２ｈに確実に固定することができる。
【００４３】
［他の実施形態］
以上、本発明を実施するための形態について説明したが、本発明は上述の実施形態に限定されることなく、種々変形して実施することができる。
【００４４】
（１）上記実施形態では、鏡筒部４２ａとベース部４２ｂを一体の部品としたが、鏡筒部４２ａとベース部４２ｂとを別部品としてもよい。別部品とすることで、一体の部品とする場合よりも異物が発生しやすくなるが、空気孔４２ｎ及び空気溝４２ｌの形状により、撮像素子４５への異物の付着を抑制することができる。
【００４５】
（２）上記実施形態では、レンズ４１を鏡筒部４２ａに熱かしめで固定したが、これに限定されるものではない。例えば、レンズ４１を鏡筒部４２ａの筒状の壁に螺子で固定し
てもよい。レンズ４１を螺子で固定することで、熱かしめで固定する場合よりも異物が発生しやすくなるが、空気孔４２ｎ及び空気溝４２ｌの形状により、撮像素子４５への異物の付着を抑制することができる。
【００４６】
（３）上記実施形態では、空気孔４２ｎを迷路構造としたが、これに限定されるものではない。例えば、空気孔４２ｎは、光軸方向に真直ぐな形状としてもよい。このような形状としても、空気孔４２ｎから流出した異物は、空気溝４２ｌ内で留まりやすいので、撮像素子４５への異物の付着を抑制することができる。
【００４７】
（４）上記実施形態では、光学フィルタ４４をベース部４２ｂに固定するための固定用部位を固定用溝４２ｈとしたが、これに限定されるものではない。例えば、固定用部位を、基準面４２ｅの内壁面４２ｆに形成された突起状の掛止部とし、光学フィルタ４４を取掛部に取り付けてもよい。この場合、取掛部よりも前方側に空気溝４２ｌを形成すればよい。
【００４８】
（５）カメラモジュール４は、車載のカメラ装置１以外に適用してもよい。例えば、カメラモジュール４を、携帯端末やＰＣ等の内蔵カメラに適用してもよい。
（６）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００４９】
４…カメラモジュール、４１…レンズ、４２ａ…鏡筒部、４２ｂ…ベース部、４２ｅ…基準面、４２ｇ…貫通孔、４２ｈ…固定用溝、４２ｌ…空気溝、４２ｍ…ベース内空間、４２ｎ…空気孔、４３…カメラ基板、４４…光学フィルタ、４５…撮像素子。
【図１】
2017156627.tif 000003
【図２】
2017156627.tif 000004
【図３】
2017156627.tif 000005
【図４】
2017156627.tif 000006
【図５】
2017156627.tif 000007
【図６】
2017156627.tif 000008
【図７】
2017156627.tif 000009
【図８】
2017156627.tif 000010